(57)【要約】      （修正有）【課題】電子黒板へのペンによる書込み時に発生するノイズ音をより効果的に抑制する画像処理装置を提供する。【解決手段】電子黒板１００の画面上に書込まれた画像を前記画面上に表示する画像処理装置であって、前記画像処理装置の周囲から複数の集音装置により収集された音声から音声データを取得する集音部１０１と、前記画面上の書込み位置を取得する取得部１２２と、前記書込み位置に応じて、各集音装置により収集される音声の感度を変更するように前記集音部を制御する制御部１２１と、前記収集された音声データを出力する出力部１０３と、を有する。【選択図】図６
2017111631.tif 000002
【特許請求の範囲】
【請求項１】
画面上に書込まれた画像を前記画面上に表示する画像処理装置であって、
前記画像処理装置の周囲から複数の集音装置により収集された音声から音声データを取得する集音部と、
前記画面上の書込み位置を取得する取得部と、
前記書込み位置に応じて、各集音装置により収集される音声の感度を変更するように前記集音部を制御する制御部と、
前記収集された音声データを出力する出力部と、を有する画像処理装置。
【請求項２】
前記制御部は、取得された前記書込み位置が近い側の感度が小さくなるように前記集音部を制御する請求項１に記載の画像処理装置。
【請求項３】
前記制御部は、書込み位置及び集音装置間の距離に応じて段階的に感度が小さくなるように前記集音部を制御する請求項２に記載の画像処理装置。
【請求項４】
前記制御部は、書込み位置及び集音装置間の距離が閾値より小さい場合に、感度を所定量小さくするように前記集音部を制御する請求項２に記載の画像処理装置。
【請求項５】
前記制御部は、取得された前記書込み位置が遠い側の感度が大きくなるように前記集音部を制御する請求項２〜４のいずれか一項に記載の画像処理装置。
【請求項６】
前記集音部は、前記画像処理装置の右端と左端に設置された前記複数の集音装置から音声データを取得する請求項１〜５のいずれか１項に記載の画像処理装置。
【請求項７】
画面上に書込まれた画像を該画面上に表示する画像処理装置が実行する方法であって、
前記画像処理装置の周囲から複数の集音装置に基づいて収集された音声から音声データを集音部により取得するステップと、
前記画面上の書込み位置を取得するステップと、
前記画面上の書込み位置に基づいて画面上に表示する画像データを生成するステップと、
前記書込み位置に応じて、各集音装置により収集される音声の感度を変更するように前記集音部を制御するステップと、
前記収集された音声データと、前記生成された画像データとを出力するステップとを前記画像処理装置が実行する方法。
【請求項８】
画面上に書込まれた画像を該画面上に表示する画像処理装置に実行させる方法であって、
前記画像処理装置の周囲から複数の集音装置に基づいて収集された音声から音声データを集音部により取得するステップと、
前記画面上の書込み位置を取得するステップと、
前記画面上の書込み位置に基づいて画面上に表示する画像データを生成するステップと、
前記書込み位置に応じて、各集音装置により収集される音声の感度を変更するように前記集音部を制御するステップと、
前記収集された音声データと、前記生成された画像データとを出力するステップとを前記画像処理装置に実行させるプログラム。
【発明の詳細な説明】
【技術分野】
【０００１】
本発明は、画像処理装置、プログラム及び方法に関する。
【背景技術】
【０００２】
画面に書込まれた画像とともに、周囲の音声をユーザ端末に配信する画像処理装置がある。
【０００３】
例えば、電子黒板（以下、ＩＷＢ（Interactive Whiteboard））は、電子ペン等によりディスプレイに書込まれた文字及び図形に係る画像を取得し、マイクにより音声を取得し、画像及び音声をユーザ端末に配信する。
【０００４】
ユーザ端末では、配信された画像を拡大及び縮小したり、電子ペンで画像にメモを書き込んだりすることができる。また、ユーザ端末では、ＩＷＢ周囲で収集された音声が再生される。
【０００５】
また、ＩＷＢに文字及び図形を書込みする際に発生する筆記音などのノイズを、ノイズコントロール用のマイクで検知し、検知したノイズと逆の位相の音データを出力することで、ノイズを抑制する技術が開示されている（例えば、特許文献１）。
【発明の概要】
【発明が解決しようとする課題】
【０００６】
しかしながら、従来の技術では、一部のノイズを効果的に抑制することができなかった。
【０００７】
例えば、ノイズの逆位相の音データを出力する方法を用いる場合、波面が球形の球面波の場合に、効果的にノイズを抑制できないという問題があった。
【０００８】
また、ノイズの逆位相の音データを出力する方法を用いる場合、ノイズコントロール用のマイク、及び逆位相の音データを出力するスピーカなどの機器が必要となるため、ＩＷＢの構成が複雑となるという問題があった。
【０００９】
そこで、本実施形態では、上記問題に鑑み、書込み時に発生するノイズ音をより効果的に抑制する画像処理装置を提供することを目的とする。
【課題を解決するための手段】
【００１０】
本発明では、画面上に書込まれた画像を前記画面上に表示する画像処理装置であって、前記画像処理装置の周囲から複数の集音装置により収集された音声から音声データを取得する集音部と、前記画面上の書込み位置を取得する取得部と、前記書込み位置に応じて、各集音装置により収集される音声の感度を変更するように前記集音部を制御する制御部と、前記収集された音声データを出力する出力部と、を有する画像処理装置が提供される。
【発明の効果】
【００１１】
書込み時に発生するノイズ音をより効果的に抑制することができる。
【図面の簡単な説明】
【００１２】
【図１】ＩＷＢの利用例を説明する図である。
【図２】ＩＷＢのハードウェア構成の例を説明するための図である。
【図３】赤外線ＬＥＤ及びカメラの動作を説明するための図である。
【図４】マイクの設置位置の例を説明するための図である。
【図５】ＩＷＢ及びユーザ端末間の通信を説明するための図である。
【図６】実施形態１のソフトウェア構成の例を示す図である。
【図７】ディスプレイの表面の座標を示す図である。
【図８】実施形態１の処理の流れを示すフローチャートである。
【図９】実施形態１の利点を説明するための図である。
【図１０】実施形態２の処理の流れを示すフローチャートである。
【図１１】実施形態２の利点を説明するための図である。
【発明を実施するための形態】
【００１３】
以下、本発明の実施形態について添付の図面を参照しながら説明する。なお、本明細書及び図面において、実質的に同一の機能構成を有する構成要素については、同一の符号を付することによって重複した説明を省く。
【００１４】
［実施形態１］
＜ＩＷＢの利用例＞
図１は、ＩＷＢ１００の利用例を説明する図である。ＩＷＢ１００は、会議室内に設置されている。ＩＷＢ１００は、前面にディスプレイ１１０を有する。ＩＷＢ１００は、ディスプレイ１１０の上部に撮影部３０を有し、ディスプレイ１１０の左側に第１マイク７１を有し、ディスプレイ１１０の右側に第２マイク７５を有する。
【００１５】
ＩＷＢ１００の前方には、テーブルが設置されている。会議の参加者であるユーザＡ、ユーザＢ、ユーザＣ及びユーザＤは、会議の参加者としてテーブルの両側にある椅子に着席している。
【００１６】
また、ユーザＥは、ＩＷＢ１００のディスプレイ１１０の前に立っている。ユーザＥは、会議の進行役として各参加者から意見を聞いたり、議題及び各参加者の発言内容をディスプレイ１１０に書き込んだりする。
【００１７】
ユーザＡ、ユーザＢ、ユーザＣ及びユーザＤは、ノートパソコン等のユーザ端末をテーブル上に載置している。
【００１８】
ＩＷＢ１００は、ディスプレイ１１０に表示されている画像の画像データを、各々のユーザ端末に配信する。また、ＩＷＢ１００は、ディスプレイ１１０に表示されている画像の画像データと会議室内の音声の音声データとを、遠隔地で会議を閲覧する参加者のユーザ端末にもインターネットを介して配信する。
【００１９】
第１マイク７１及び第２マイク７５は、ユーザＡ、ユーザＢ、ユーザＣ、ユーザＤ及びユーザＥによる音声を収集する。カメラ２４は、会議室内の様子を撮影する。
【００２０】
ＩＷＢ１００は、初期状態で、第１マイク７１及び第２マイク７５のゲイン（感度）を中レベル（以下では、「中」（小レベルは「小」、大レベルは「大」））に設定する。ＩＷＢ１００は、ディスプレイ１１０に書込みがない場合、第１マイク７１及び第２マイク７５のゲインを「中」に維持して、ユーザＥ及び各参加者の音声を収集する。
【００２１】
ユーザＥは、ディスプレイ１１０の左側に「予定」「開始」の文字列を書き込んだ後、ディスプレイ１１０の右側に「１０：００ａｍ」を書き込む。
【００２２】
ディスプレイ１１０の左側に「予定」「開始」の文字列が書き込まれた場合、ＩＷＢ１００は、第１マイク７１のゲイン（感度）を小さくする調整を行う。ＩＷＢ１００は、書き込みが終了した後、第１マイク７１のゲインを「中」に戻す。
【００２３】
続いて、ディスプレイ１１０の右側に「１０：００ａｍ」の文字列が書き込まれた場合に、第２マイク７５のゲインを小さくする調整を行う。ＩＷＢ１００は、書き込みが終了した後、第２マイク７５のゲインを「中」に戻す。
【００２４】
ＩＷＢ１００は、ディスプレイ１１０の表示された画像の画像データとともに、第１マイク７１及び第２マイク７５により収集された音声の音声データを、遠隔地の参加者のユーザ端末に送信する。なお、ＩＷＢ１００は、他に会議室内を撮影した動画データをユーザ端末に送信してもよい。
【００２５】
＜ＩＷＢのハードウェア構成＞
図２は、ＩＷＢのハードウェア構成の例を説明するための図である。コントローラ部６０は、ディスプレイ部２０（表示部２１）に電子情報を表示する制御や電子ペンを用いた情報入力の制御を行う制御手段である。
【００２６】
ペン信号受信部５０は、ディスプレイ部２０、コントローラ部６０の適所に設けられ、電子ペンから無線信号、例えば光信号（赤外線）として出力された操作信号（筆記操作信号又は消去操作信号）を受信する。
【００２７】
なお、コントローラ部６０は、制御系としてＣＰＵ（Central Processing Unit）６１と、ＲＯＭ（Read Only Memory）６２と、ＲＡＭ（Random Access Memory）６３と、を主に備えている。
【００２８】
ＣＰＵ６１は、本実施形態のＩＷＢ１００の機能を実現する制御を行う。例えば、ＣＰＵ６１は、後述する制御部１２１、取得部１２２及び生成部１２３等の機能を実現する。
【００２９】
ＲＯＭ６２は、ＣＰＵ６１によって実行される各種の制御プログラムを格納している。
【００３０】
ＲＡＭ６３は、ＣＰＵ６１による実行のために制御プログラムや各種の一時データが格納される作業領域である。
【００３１】
また、コントローラ部６０は、様々な操作がなされるタッチパネル２２やユーザノートパソコン８０から取り込まれた画像を表示部２１に表示する制御を行う。
【００３２】
また、撮影部（カメラ）３０は、ＩＷＢ１００の周囲の状況を撮影し、取得された動画データをコントローラ部６０に送信する。
【００３３】
ペン信号受信部５０は、電子ペンから出力された操作信号を受信すると、当該操作信号をタッチパネル２２に入力する。これにより、タッチパネル２２の制御回路であるタッチパネルドライバ部２５は、電子ペンから出力された操作信号により電子ペンによる入力操作が行われていることを認識（検知）し、コントローラ部６０に操作検知信号を出力する。
【００３４】
赤外線ＬＥＤ２３は、ＩＷＢ１００の隅からディスプレイ１１０の面方向に並行な方向で、かつディスプレイ１１０の面に沿う方向に赤外線を照射する。
【００３５】
カメラ２４は、赤外線ＬＥＤ２３に近接した位置に設置されている。赤外線ＬＥＤ２３によって照射された赤外線は、ディスプレイ１１０の淵に設けられた再起板により、赤外線ＬＥＤ２３と略同一の座標の位置に反射される。カメラ２４は、当該反射光を検出する。カメラ２４は、検出した反射光に基づいて指又は電子ペンが当接したディスプレイ１１０上の座標を検知する。
【００３６】
図３は、赤外線ＬＥＤ及びカメラの動作を説明するための図である。ディスプレイ１１０の淵には再帰板が設置されている。また、ディスプレイ１１０の左上隅及び右上隅に赤外線ＬＥＤ２３及びカメラ２４が設置されている。赤外線ＬＥＤ２３は、ディスプレイ１１０の面方向に並行な方向で、かつディスプレイ１１０の面に沿う方向に赤外線を照射する。赤外線ＬＥＤ２３から照射された赤外線は、再帰板で照射方向に反射されてカメラ２４で検出される。
【００３７】
例えば、右上隅の赤外線ＬＥＤ２３は、対角線の方向（（１）の方向）に赤外線を照射すると、再帰板で反射されて反射光が右上隅方向に帰り、カメラ２４によって反射光が検出される。カメラ２４は、検出した反射光に基づいてディスプレイ１１０上の指又は電子ペンが当接した位置の座標を検知する。
【００３８】
図２に戻る。コントローラ部６０は、外部接続端子として、ＵＳＢ（Universal Serial Bus）ケーブルを接続可能な第１ＵＳＢポート７４、第２ＵＳＢポート７３及び第３ＵＳＢポート７２、ＶＧＡ（Video Graphics Array）ケーブルが接続されるＶＧＡ入力ポート７０を備えている。
【００３９】
これらの第３ＵＳＢポート７２、ＶＧＡ入力ポート７０を介してユーザノートパソコン（ユーザ端末）８０をＩＷＢ１００に接続可能である。
【００４０】
また、コントローラ部６０は、第１ＵＳＢポート７４を介して第１マイク７１で収集された音声を受信し、第２ＵＳＢポート７３を介して第２マイク７５で収集された音声を受信する。
【００４１】
また、コントローラ部６０は、イーサネット（登録商標）ケーブルを接続してＩＷＢ１００をネットワーク７７に接続するためのネットワークＩ／Ｆ（インターフェイス）７６を備える。コントローラ部６０は、ネットワークＩ／Ｆ７６を介して外部のユーザ端末２００に画像データ、音声データ、動画データ等を送信する制御を行う。
【００４２】
ユーザノートパソコン８０（ユーザ端末）は、画像を表示可能なモニタと、各種コンテンツ及びコンテンツ表示用アプリケーションソフトウエアなどのプログラムが格納された磁気ディスク装置等からなるストレージを備えている。そして、使用者の操作により、ストレージ８３に格納されたコンテンツの中から所望のコンテンツが選択されることにより、モニタに当該コンテンツが表示される。
【００４３】
コントローラ部６０は、ユーザノートパソコン８０のモニタに表示された画像データがＶＧＡ入力ポート７０を介して転送されると、表示部２１のユーザＰＣ用画像表示領域にモニタに表示された画像と同じ画像を表示する。
【００４４】
図４は、マイクの設置位置の例を説明するための図である。ＩＷＢ１００の背面には、コントローラ２６と、第１ＵＳＢポート７４と、第２ＵＳＢ７３ポートとが配置される。また、ＩＷＢ１００の背面から見て右端に第１マイク７１が配置され、左端に第２マイク７５が配置される。
【００４５】
コントローラ２６の右側に配置された第１ＵＳＢ７４ポート及び第１マイク７１が有線で接続される。また、コントローラ２６の右側に配置された第２ＵＳＢ７３ポート及び第２マイク７５が有線で接続される。
【００４６】
＜ＩＷＢ及びユーザ端末間の通信＞
図５は、ＩＷＢ１００及びユーザ端末２００間の通信を説明するための図である。会議室内にＩＷＢ１００が設置されている。ＩＷＢ１００は、無線ＬＡＮ（Local Area Network）を介して会議室内のタブレット端末２００ａ及びＰＣ端末２００ｂに画像データ、音声データ等を送信する。
【００４７】
また、ＩＷＢ１００は、インターネット５を介して接続されたＰＣ端末２００ｃ、ＰＣ端末２００ｄ及びＰＣ端末２００ｅに画像データ、音声データ等を送信する。ＰＣ端末２００ｃ、ＰＣ端末２００ｄ及びＰＣ端末２００ｅは、遠隔地で会議を閲覧しているユーザの顔画像と、発言内容に係る音声とを取得し、ＩＷＢ１００に送信してもよい。かかる場合に、ＩＷＢ１００は、例えば、遠隔地のユーザ端末から受信した画像データ及び音声データに基づいて、ディスプレイの一部に遠隔地のユーザの顔画像を表示したり、遠隔地のユーザ端末２００から受信したユーザの音声を再生したりしてもよい。
【００４８】
なお、ＩＷＢ１００は、インターネット５を介して外部のユーザ端末と通信する旨を説明したが、これに限定されない。例えば、ＩＷＢ１００は、会議室内のユーザ端末とのみ通信してもよい。また、ＩＷＢ１００は、他のユーザ端末と通信を行わず、会議中に取得した画像データ及び音声データを不図示のメモリに記録し、後で閲覧できるようにしてもよい。
【００４９】
＜ＩＷＢのソフトウェア構成＞
図６は、実施形態１のソフトウェア構成の例を示す図である。ＩＷＢ１００は、集音部１０１と、座標値入力部１０２と、出力部１０３と、処理部１２０とを有する。処理部１２０は、制御部１２１と、取得部１２２と、生成部１２３とを有する。
【００５０】
集音部１０１は、第１マイク７１及び第２マイク７５から収集した音声から音声データを生成する。また、集音部１０１は、制御部１２１からの制御に応じて、第１マイク７１及び第２マイク７５のゲインを設定する。
【００５１】
座標値入力部１０２は、カメラ２４によって検出されたディスプレイ１１０上で電子ペンが当接した位置の座標データの入力を受け付ける。続いて、座標値入力部１０２は、受け付けた座標データを制御部１２１に送信する。
【００５２】
図７は、ディスプレイ１１０表面の座標を示す図である。例えば、ディスプレイ１１０の表面をＸ−Ｙ平面とし、原点Ｏはディスプレイ１１０の左上の隅とし、ディスプレイ１１０の横方向をＸ軸方向とし、縦方向をＹ軸方向とするものとする。ディスプレイ１１０の右辺のＸ軸値を２００（最大値）とし、下辺のＹ軸値を１００（最大値）とする。なお、原点Ｏの位置は、上記に限定されず、例えば、ディスプレイ１１０の中心であってもよい。
【００５３】
例えば、座標値入力部１０２は、電子ペンがディスプレイ１１０のＡの位置に当接した場合、座標データ（２５,５０）を受け付ける。また、座標値入力部１０２は、電子ペンがディスプレイ１１０のＢの位置に当接した場合、座標データ（１８０,３５）を受け付ける。また、座標値入力部１０２は、電子ペンがディスプレイ１１０のＣの位置に当接した場合、座標データ（１００,５０）を受け付ける。また、座標値入力部１０２は、電子ペンがディスプレイ１１０のＤの位置に当接した場合、座標データ（５０,５０）を受け付ける。
【００５４】
図６に戻る。出力部１０３は、後述する取得部１２２によって取得された音声データ及び画像データを、各ユーザ端末２００に出力する。
【００５５】
処理部１２０の構成について説明する。制御部１２１は、座標値入力部１０２から受信した座標データに基づいて、集音部１０１において設定されるゲインを制御する。以下、実施形態１における制御部１２１による制御をより詳細に説明する。
【００５６】
制御部１２１は、初期状態において第１マイク７１及び第２マイク７５のゲインを初期値「中」に設定する。
【００５７】
ユーザが電子ペンでディスプレイ１１０に文字又は図形を入力した場合、座標値入力部１０２は、ディスプレイ１１０上の電子ペンが当接した位置の座標データの入力を受け付け、座標データを制御部１２１に送信する。
【００５８】
制御部１２１は、座標値入力部１０２から受信した座標データが第１マイク７１に近い座標であった場合、第１マイク７１のゲインを小さくする制御を集音部１０１に対して行う。これにより、第１マイク７１のゲインが「中」から「小」に移行する。
【００５９】
一方、制御部１２１は、座標値入力部１０２から受信した座標データが第２マイク７５に近い座標であった場合、第２マイク７５のゲインを小さくする制御を集音部１０１に対して行う。これにより、第２マイク７５のゲインが「中」から「小」に移行する。
【００６０】
また、上記では、第１マイク７１のゲインを２レベル（「中」「小」）に調整する例を説明したが、これに限定されない。例えば、制御部１２１は、座標値入力部１０２から受信した座標データに基づいて、電子ペンが当接した位置と第１マイク７１又は第２マイク７５との距離に応じて段階的にゲインを制御してもよい。
【００６１】
音源（電子ペンが当接した位置）までの距離ｒ［ｍ］と、減衰量Ａ［ｄＢ］との関係は、以下の式によって表される。
【００６２】
Ａ［ｄＢ］＝２０×Ｌｏｇ１０（ｒ／ｒ０）・・・（１）
制御部１２１は、例えば、上記数式（１）によって算出される減衰量Ａ［ｄＢ］との比率に基づいて段階的にゲインを制御してもよい。
【００６３】
また、ゲインの制御方法は、上記に限定されず、ＩＷＢ１００の横方向をＸ軸とした場合に、第１マイク７１及び第２マイク７５にそれぞれ閾値をあらかじめ設定しておき、制御部１２１は、閾値より大きいか又は小さいかに応じて、第１マイク７１及び第２マイク７５のゲインを所定量下げる制御をしてもよい。
【００６４】
また、制御部１２１は、座標値入力部１０２から受信した座標データがディスプレイ１１０の中心付近であった場合、第１マイク７１及び第２マイク７５のゲインを「中」のままに維持する。
【００６５】
制御部１２１は、第１マイク７１又は第２マイク７５のゲインを変更した場合、書込みが終了した際にゲインを「中」に戻す。制御部１２１は、例えば、電子ペンがディスプレイから離れたときに書込みが終了したと判断する。また、制御部１２１は、電子ペンがディスプレイから離れて所定時間の間、ディスプレイ１１０に電子ペンが当接しない場合に、書込みが終了したと判断してもよい。
【００６６】
図７において、例えば、制御部１２１は、Ａの位置の座標データ（２５,５０）を受信した場合、第１マイク７１のゲインを小さくする制御を集音部１０１に対して行う。また、制御部１２１は、Ｂの位置の座標データ（１８０,３５）を受信した場合、第２マイク７５のゲインを小さくする制御を集音部１０１に対して行う。また、制御部１２１は、Ｃの位置の座標データ（１００,５０）を受信した場合、第１マイク７１及び第２マイク７５のゲインを「中」のままに維持する。
【００６７】
また、制御部１２１は、Ｄの位置の座標データ（５０,５０）を受信した場合、第１マイク７１のゲインを、Ａの位置の場合よりもやや大きくなる程度に小さくするよう制御する。すなわち、制御部１２１は、数式（１）によって算出される減衰量Ａ［ｄＢ］との比率に応じて、Ａ及びＤの位置の場合における第１マイク７１のゲインを小さくする制御をしてもよい。
【００６８】
また、別のゲインの制御方法として、制御部１２１は、Ｘ軸値の閾値「３０」に基づいて、Ｘ軸値が閾値「３０」より小さいＡの位置の場合、第１マイク７１のゲインを小さくする制御を行い、一方、Ｘ軸値が閾値「３０」より大きいＤの位置の場合、第１マイク７１のゲインを「中」のままに維持してもよい。また、制御部１２１は、例えば、Ｘ軸値の閾値「１７０」に基づいて、電子ペンが当接した位置のＸ軸値が閾値「１７０」より大きい場合、第２マイク７５のゲインを小さくする制御を行い、一方、Ｘ軸値が閾値「１７０」より小さい場合、第２マイク７５のゲインを「中」のままに維持してもよい。
なお、ＩＷＢ１００の左端及び右端にマイクが設置される旨を説明したが、これに限定されない。例えば、ＩＷＢ１００の上端及び下端にマイクを設置し、ディスプレイ１１０に電子ペンが当接した座標に応じて、同様に制御してもよい。
【００６９】
図６に戻る。取得部１２２は、集音部１０１によって生成された音声データを取得する。また、取得部１２２は、後述する生成部１２３によって生成された画像データをメモリから取得し、取得した画像データに基づいてディスプレイ１１０に画像を表示する。
【００７０】
続いて、取得部１２２は、取得した画像データ及び音声データを、出力部１０３を介して各々のユーザ端末２００に送信する。
【００７１】
生成部１２３は、座標値入力部１０２によって検知された電子ペンの座標データに基づいて、ディスプレイ１１０上に画像を形成する。
【００７２】
具体的には、生成部１２３は、ディスプレイ１１０上を走査する電子ペンの軌跡に基づいてディスプレイに表示するための画像データを生成する。続いて、生成部１２３は、生成した画像データを不図示のメモリに記憶する。生成部１２３は、生成した画像データを不図示のメモリに記憶する処理を所定の時間間隔毎（例えば０．５秒毎）に行い、メモリの情報を更新する。続いて、生成部１２３は、メモリに記憶されている画像データを用いて、ディスプレイ１１０に表示されている画像を最新の画像に更新する。また、取得部１２２は、メモリに記憶されている画像データを、所定の時間間隔で各々のユーザ端末２００に送信する。
【００７３】
図８は、実施形態１の処理の流れを示すフローチャートである。まず、ＩＷＢ１００が起動される（ステップＳ１１）。続いて、ＩＷＢ１００は、第１マイク７１及び第２マイク７５のゲインを初期値「中」（中レベル）に設定する（ステップＳ１２）。
【００７４】
続いて、ＩＷＢ１００は、電子ペンがディスプレイ１１０に接触したか否かを判定する（ステップＳ１３）。ＩＷＢ１００は、電子ペンがディスプレイ１１０に接触していない場合（ステップＳ１３Ｎｏ）、所定時間経過後に電子ペンがディスプレイ１１０に接触したか否かを判定する処理（ステップＳ１３）を実行する。一方、ＩＷＢ１００は、電子ペンがディスプレイ１１０に接触した場合（ステップＳ１３Ｙｅｓ）、コントローラ２６に電子ペンの座標データが入力される（ステップＳ１４）。
【００７５】
続いて、ＩＷＢ１００は、座標データに基づいて、電子ペンが当接した座標はディスプレイ１１０の左側か否かを判定する（ステップＳ１５）。ＩＷＢ１００は、当接した座標がディスプレイ１１０の左側である場合（ステップＳ１５Ｙｅｓ）、第１マイク７１のゲインを小さくする（ステップＳ１６）。例えば、制御部１２１は、当接した座標がディスプレイ１１０の左側である場合、数式（１）によって算出される減衰量Ａ［ｄＢ］との比率に基づいて、第１マイク７１のゲインを制御する。または、制御部１２１は、閾値よりもＸ軸値が小さい場合に（ディスプレイ１１０の左上隅を原点Ｏとする）、第１マイク７１のゲインを所定量小さくしてもよい。
【００７６】
一方、ＩＷＢ１００は、当接した座標がディスプレイ１１０の右側である場合（ステップＳ１５Ｎｏ）、第２マイク７５のゲインを小さくする（ステップＳ１７）。具体的には、制御部１２１は、数式（１）によって算出される減衰量Ａ［ｄＢ］との比率に基づいて、第２マイク７５のゲインを制御する。または、制御部１２１は、閾値よりもＸ軸値が大きい場合に（ディスプレイ１１０の左上隅を原点Ｏとする）、第２マイク７５のゲインを所定量小さくしてもよい。
【００７７】
続いて、ＩＷＢ１００は、電子ペンがディスプレイ１１０から離れたか否かを判定する（ステップＳ１８）。ＩＷＢ１００は、電子ペンがディスプレイ１１０から離れていない場合（ステップＳ１８Ｎｏ）、所定時間後に電子ペンがディスプレイ１１０から離れたか否かの判定（ステップＳ１８）を再度実行する。一方、ＩＷＢ１００は、電子ペンがディスプレイ１１０から離れた場合（ステップＳ１８Ｙｅｓ）、第１マイク７１及び第２マイク７５のゲインを初期値「中」に設定する（ステップＳ１９）。
【００７８】
続いて、ＩＷＢ１００は、ＩＷＢ１００の処理が終了したか否かを判定する（ステップＳ２０）。ＩＷＢ１００は、ディスプレイ１１０の処理が終了した場合（ステップＳ２０Ｙｅｓ）、処理を終了させる。一方、ＩＷＢ１００は、ＩＷＢ１００の処理が終了していない場合（ステップＳ３０Ｎｏ）、電子ペンがディスプレイに接触したか否かを判定（ステップＳ１３）の処理に戻る。例えば、ＩＷＢ１００は、ディスプレイ１１０に電子ペンが所定時間の間、当接していない場合、ＩＷＢ１００の処理が終了したと判定する。
【００７９】
このように、ＩＷＢ１００は、ディスプレイ１１０表面の電子ペンが当接した位置の座標を取得し、ＩＷＢ１００の左端及び右端に設置されたマイクから周囲の音声データを取得する構成となっている。ＩＷＢ１００は、電子ペンが当接した位置の座標が近い側のマイクのゲインを小さくする制御を行う。
【００８０】
＜利点＞
図９は、実施形態１の利点を説明するための図である。ディスプレイ前面右側にユーザＥが立っており、ユーザＥは、ディスプレイ１１０の右側の位置に文字を書き込んでいる。ディスプレイ１１０の前方には、会議机があり、会議室机を囲む位置に会議の参加者が着席している。ディスプレイ１１０の左側に設置されている第１マイク７１及びディスプレイ１１０の右側に設置されている第２マイク７５は、ユーザＥ及び会議の参加者の発言による音声を収集する。
【００８１】
図９（ａ）は、マイクのゲインを調整しない場合のＩＷＢ１００を説明するための図である。例えば、ユーザＥがディスプレイ１１０の右側の位置で文字を入力した場合、第２マイク７５のゲインが「中」のままとなっており、第２マイク７５で取得された音声データの中の筆記音の割合が比較的大きいため、会議の参加者は、会議参加者の発言が聞き取りにくくなる。
【００８２】
図９（ｂ）は、実施形態１のＩＷＢ１００によって、マイクのゲインが調整される場合を説明するための図である。例えば、ユーザＥがディスプレイの右側の位置で文字を入力した場合に、第２マイク７５のゲインが「中」から「小」に移行したことで、第１マイク７１及び第２マイク７５で収集される音声データの中の筆記音の割合が小さくなるため、会議参加者の発言が聞き取りやすくなる。すなわち、筆記音によるノイズを効果的に抑制する効果が得られる。
【００８３】
［実施態様２］
制御部１２１は、ゲインを小さくする制御をしたマイク以外の他方のマイクのゲインを大きくする制御を、さらに行ってもよい。以下、実施形態２における制御部１２１による制御をより詳細に説明する。
【００８４】
図６に係る制御部１２１は、初期状態において第１マイク７１及び第２マイク７５のゲインを初期値「中」に設定する。
【００８５】
ユーザが電子ペンでディスプレイ１１０に文字又は図形を入力した場合、座標値入力部１０２は、ディスプレイ１１０上の電子ペンが当接した位置の座標データの入力を受け付け、受け付けた座標データを制御部１２１に送信する。
【００８６】
制御部１２１は、座標値入力部１０２から受信した座標データが第１マイク７１に近い座標であった場合、第１マイク７１のゲインを小さくする制御を集音部１０１に対して行う。これとともに、制御部１２１は、第２マイク７５のゲインを大きくする制御を集音部１０１に対して行う。これにより、第１マイク７１のゲインが「中」から「小」に移行する。また、第２マイク７５のゲインが「中」から「大」に移行する。
【００８７】
なお、制御部１２１は、実施形態１と同様に、座標値入力部１０２から受信した座標データに基づいて、電子ペンが当接した位置と第１マイク７１との距離に応じて段階的にゲインを小さくしてもよい。また、制御部１２１は、第１マイク７１のゲインの低下に応じて第２マイク７５のゲインを大きくしてもよい。
【００８８】
または、制御部１２１は、閾値よりもＸ軸値が小さい場合に（ディスプレイ１１０の左上隅を原点Ｏとする）、第１マイク７１のゲインを所定量小さくし、第２マイク７５のゲインを所定量大きくしてもよい。
【００８９】
一方、制御部１２１は、座標値入力部１０２から受信した座標データが第２マイク７５に近い座標であった場合、第２マイク７５のゲインを小さくする制御を集音部１０１に対して行う。これとともに、制御部１２１は、第１マイク７１のゲインを大きくする制御を集音部１０１に対して行う。これにより、第１マイク７１のゲインが「中」から「大」に移行する。また、第２マイク７５のゲインが「中」から「小」に移行する。なお、かかる場合においても、上記と同様に制御部１２１は、第２マイク７５のゲインを段階的に小さくし、第２マイク７５のゲインの低下に応じて第１マイク７１のゲインを大きくしてもよい。また、制御部１２１は、閾値よりも座標データのＸ軸値が大きい場合に、第２マイク７５のゲインを所定量小さくし、第１マイク７１のゲインを所定量大きくしてもよい。
【００９０】
続いて、制御部１２１は、文字または図形の入力が終了した場合、第１マイク７１及び第２マイク７５のゲインを「中」に戻す。
【００９１】
このように、片方のマイクのゲインを小さくした分、もう片方のマイクのゲインを大きくすることで、マイクから集音される音声データの総音量が小さくなり、音声が聞き取りにくくなるという問題が解消する。
【００９２】
なお、制御部１２１は、座標値入力部１０２から受信した座標データがディスプレイ１１０の中央付近であった場合、実施形態１と同様に、第１マイク７１及び第２マイク７５のゲインを「中」のままに維持する。
【００９３】
図１０は、実施形態２の処理の流れを示すフローチャートである。まず、ＩＷＢ１００が起動される（ステップＳ２１）。続いて、ＩＷＢ１００は、第１マイク７１及び第２マイクのゲインを初期値「中」（中レベル）に設定する（ステップＳ２２）。
【００９４】
続いて、ＩＷＢ１００は、電子ペンがディスプレイに接触したか否かを判定する（ステップＳ２３）。ＩＷＢ１００は、電子ペンがディスプレイに接触していない場合（ステップＳ２３Ｎｏ）、所定時間経過後に電子ペンがディスプレイに接触したか否かを判定する処理（ステップＳ２３）を実行する。一方、ＩＷＢ１００は、電子ペンがディスプレイに接触した場合（ステップＳ２３Ｙｅｓ）、コントローラ２６に電子ペンの座標データが入力される（ステップＳ２４）。
【００９５】
続いて、ＩＷＢ１００は、座標データに基づいて、電子ペンが当接した座標はディスプレイ１１０の左側か否かを判定する（ステップＳ２５）。ＩＷＢ１００は、当接した座標がディスプレイ１１０の左側である場合、第１マイク７１のゲインを小さくし、第２マイク７５のゲインを大きくする（ステップＳ２６）。具体的には、制御部１２１は、数式（１）によって算出される減衰量Ａ［ｄＢ］との比率に基づいて、第１マイク７１のゲインを小さくする制御を行う。また、制御部１２１は、第１マイク７１のゲインの低下に応じて第２マイク７５のゲインを大きくする制御を行う。
【００９６】
または、制御部１２１は、閾値よりも座標データのＸ軸値が小さい場合に（ディスプレイ１１０の左上隅を原点Ｏとする）、第１マイク７１のゲインを所定量小さくし、第１マイク７１のゲインの減少量に応じて第２マイク７５のゲインを大きくしてもよい。
【００９７】
一方、ＩＷＢ１００は、当接した座標がディスプレイ１１０の右側である場合、第２マイク７５のゲインを小さくし、第１マイク７１のゲインを大きくする（ステップＳ２７）。具体的には、制御部１２１は、数式（１）によって算出される減衰量Ａ［ｄＢ］との比率に基づいて、第２マイク７５のゲインを小さくする制御を行う。また、制御部１２１は、第２マイク７５のゲインの低下に応じて第１マイク７１のゲインを大きくする制御を行う。
【００９８】
または、制御部１２１は、閾値よりも座標データのＸ軸値が大きい場合に（ディスプレイ１１０の左上隅を原点Ｏとする）、第２マイク７５のゲインを所定量小さくし、第１マイク７１のゲインを所定量大きくしてもよい。
【００９９】
続いて、ＩＷＢ１００は、電子ペンがディスプレイ１１０から離れたか否かを判定する（ステップＳ２８）。ＩＷＢ１００は、電子ペンがディスプレイ１１０から離れていない場合（ステップＳ２８Ｎｏ）、所定時間後に電子ペンがディスプレイ１１０から離れたか否かの判定（ステップＳ２８）を再度実行する。一方、ＩＷＢ１００は、電子ペンがディスプレイ１１０から離れた場合（ステップＳ２８Ｙｅｓ）、第１マイク７１及び第２マイク７５のゲインを初期値「中」（中レベル）に設定する（ステップＳ２９）。
【０１００】
続いて、ＩＷＢ１００は、ディスプレイ１１０における書込みが終了したか否かを判定する（ステップＳ３０）。ＩＷＢ１００は、ディスプレイ１１０における書込みが終了した場合（ステップＳ３０Ｙｅｓ）、処理を終了させる。一方、ＩＷＢ１００は、ディスプレイ１１０における書込みが終了していない場合（ステップＳ３０Ｎｏ）、電子ペンがディスプレイに接触したか否かを判定する処理（ステップＳ２３）に戻る。
【０１０１】
＜利点＞
図１１は、実施形態２の利点を説明するための図である。ディスプレイ１１０と会議机などとの位置関係は、図９と同じである。
【０１０２】
図１１（ａ）は、実施形態２のＩＷＢ１００によって、マイクのゲインが調整される場合を説明するための第１の図である。例えば、ユーザＥがディスプレイ１１０の右側の位置で文字を入力した場合、ＩＷＢ１００は、電子ペンがディスプレイ１１０に当接した位置の座標を取得する。続いて、ＩＷＢ１００は、第２マイク７５のゲインを「中」から「小」に移行させ、また、ＩＷＢ１００は、第１マイク７１のゲインを「中」から「大」に移行させる制御をする。
【０１０３】
図１１（ｂ）は、実施形態２のＩＷＢ１００によって、マイクのゲインが調整される場合を説明するための第２の図である。ユーザＥがディスプレイの左側の位置で文字を入力した場合、ＩＷＢ１００は、電子ペンがディスプレイ１１０に当接した位置の座標を取得する。続いて、ＩＷＢ１００は、第１マイク７１のゲインを「中」から「小」に移行させ、また、ＩＷＢ１００は、第２マイク７５のゲインを「中」から「大」に移行させる制御をする。
【０１０４】
これにより、第１マイク７１及び第２マイク７５で取得される音声データの中の筆記音の割合が小さくなり、会議参加者の音声の割合が大きくなるので、会議参加者の発言がより聞き取りやすくなる。
【０１０５】
以上、画像処理システム１０を実施形態により説明したが、本発明は上記実施形態に限定されるものではなく、本発明の範囲内で種々の変形及び改良が可能である。
【０１０６】
例えば、ＩＷＢ１００は、周囲の動画を撮影し、動画データとして、画像データ及び音声データとともにユーザ端末２００に配信してもよい。
【０１０７】
なお、ＩＷＢ１００は、画像処理装置の一例である。また、第１マイク７１及び第２マイク７５は、集音装置の一例である。
【符号の説明】
【０１０８】
７１          第１マイク（右側）
７５          第２マイク（左側）
１００        ＩＷＢ
１０１        集音部
１０２        座標値入力部
１０３        出力部
１１０        ディスプレイ
１２０        処理部
１２１        制御部
１２２        取得部
２００        ユーザ端末
【先行技術文献】
【特許文献】
【０１０９】
【特許文献１】特開２００７−１２７２４５号公報
【図１】
2017111631.tif 000003
【図２】
2017111631.tif 000004
【図３】
2017111631.tif 000005
【図４】
2017111631.tif 000006
【図５】
2017111631.tif 000007
【図６】
2017111631.tif 000008
【図７】
2017111631.tif 000009
【図８】
2017111631.tif 000010
【図９】
2017111631.tif 000011
【図１０】
2017111631.tif 000012
【図１１】
2017111631.tif 000013